(57)【特許請求の範囲】
【請求項１】
矩形状の底板と、該底板に平行な天板と、前記底板の左右両端縁より立ち上がり前記天板に連なる左右の側板とを有する扁平箱体に形成されたゴキブリ捕獲器において、
前記側板に、ゴキブリが前記底板の側縁に沿って進行してきたときの正面側に開口する第一侵入口と、ゴキブリが前記底板の側縁に直交する方向から進行してきたときの正面側に開口する第二侵入口とが形成されており、
前記箱体は、打ち抜き成形された平板を折り曲げ成形してなり、
前記平板は、左右両側の長辺と前後の短辺とを有する矩形状の底面部と、
該底面部の左右長辺の左右方向両側に延設された左右側面部と、
該左右側面部の左右方向両側に延設された左右上面部とを有し、
前記底面部、左右側面部、および、左右上面部が、前記箱体の底板、側板、および、天板を構成しており、
前記左右側面部は、前記底面部の左右長辺の前後両側と中央部に形成された左右前後側面部と左右中央側面部とからなり、
前記左右前側面部と左右中央側面部間および左右中央部側面部と左右後側面部間に左右侵入部が設けられ、
前記左右侵入部は、前記底面に対して所定角度の傾斜を有するように折り曲げられて前記第一侵入口が形成されており、
前記平板は、ダンボール製であることを特徴とするゴキブリ捕獲器。
【請求項２】
前記天板は、前記左右上面部が入り組み状に結合されて左右方向開閉自在とされていることを特徴とする請求項１記載のゴキブリ捕獲器。
【請求項３】
前記箱体内部の底面に粘着層が露出状態で設けられていることを特徴とする請求項１又は２に記載のゴキブリ捕獲器。
【請求項４】
前記左右侵入部の上縁部に切欠き凹部が形成され、該凹部が前記第二侵入口を形成していることことを特徴とする請求項１〜３のいずれか一つに記載のゴキブリ捕獲器。
【請求項５】
前記平板は、前記底面部の短辺の前後方向両側に延設された前後侵入部を有し、該前後侵入部の上縁部に切欠き凹部が形成され、
前記前後侵入部は前記底面に対して所定角度の傾斜を有するように折り曲げられ、
前記前後侵入部の切欠き凹部によりゴキブリの第三侵入口が形成されていることを特徴とする請求項１〜４のいずれか一つに記載のゴキブリ捕獲器。
【発明の詳細な説明】
【技術分野】
【０００１】
本発明は、ゴキブリ捕獲器に関する。
【背景技術】
【０００２】
ゴキブリ捕獲器として、たとえば、特許文献１(特開平１０−３１３７６０号公報)記載のものが公知である。
【０００３】
この従来のものは、左右辺に左右障害板を連設して、内面側に捕獲粘着層を形成した床面板と、それぞれ逆三角形状の複数の侵入口を設けた前後壁面板と、一方に繋止孔又他方に繋止片を設けた前後屋根板とを、それぞれ折り目線を介して連設した、板紙製やプラスチックシート製などの偏平台形状のごきぶり捕獲器において、前後屋根板の後前部にそれぞれ逆三角形状の複数の侵入口を設けた前後中央板を折り目線を介して設け、かつ左右障害板の上辺に、それぞれＶ字状の固定切欠きを設けて、左右障害板の上辺に設けたＶ字状の固定切欠きに、前後中央板を、それぞれ挿入してＶ字谷状に固定したものであった。
【０００４】
また、特許文献２(特開２００２−１５５号公報)記載のものは、所定の幅と奥行きと厚さを有する長方形状の底板と、この底板の幅方向両側縁に沿って設けた長方形状の一対の側板と、この一対の側板の上端面間にわたって設けた所定の幅と奥行きと厚さを有する長方形状の天板で所定の幅と奥行きと高さ（１０ｍｍ迄）を有する小型で扁平な箱形状のゴキブリ捕獲用容器としてあるものであった。この容器の高さは１０ｍｍ迄で侵入口の高さよりも若干大きい。このゴキブリ捕獲用容器の奥行き方向両側（両方の側面）は開口してスリット形状の侵入口を形成している。前記侵入口の高さ（底板の上面と天板の下面との間の寸法）は内部空間の高さと同一である。前記底板の上面にゲル状のゴキブリの誘引殺虫剤を塗布し、ゴキブリ捕獲器（ゴキブリ捕殺器）を形成しているものであった。
【特許文献１】特開平１０−３１３７６０号公報
【特許文献２】特開２００２−１５５号公報
【発明の開示】
【発明が解決しようとする課題】
【０００５】
前記特許文献１記載のものは、エンドユーザーにおいて、組み立てて使用しなければならないものであった。そのためたとえば、大規模の飲食ビルや大型ホテルなどでは、数百個の多数のゴキブリ捕獲器を同時に設置しなければならないので、その組立作業は大変面倒であり、また、粘着剤を覆っている剥離紙などは大量のごみとなっていた。
【０００６】
特許文献２記載のものは、組み立て不要で、また剥離紙のごみの排出はないので、前記特許文献１記載の問題点は解消されているが、ゴキブリ侵入口が、扁平箱体の前後の２箇所にしか設けられていないので、捕獲性能に問題があるものであった。
【０００７】
そこで、本発明は、組み立て不要で且つ捕獲性能に優れたゴキブリ捕獲器を提供することを目的とする。
【課題を解決するための手段】
【０００８】
前記目的を達成するため、本発明は、次の手段を講じた。即ち、本発明の特徴とするところは、矩形状の底板と、該底板に平行な天板と、前記底板の左右両端縁より立ち上がり前記天板に連なる左右の側板とを有する扁平箱体に形成されたゴキブリ捕獲器において、前記側板に、ゴキブリが前記底板の側縁に沿って進行してきたときの正面側に開口する第一侵入口と、ゴキブリが前記底板の側縁に直交する方向から進行してきたときの正面側に開口する第二侵入口とが形成されており、前記箱体は、打ち抜き成形された平板を折り曲げ成形してなり、前記平板は、左右両側の長辺と前後の短辺とを有する矩形状の底面部と、該底面部の左右長辺の左右方向両側に延設された左右側面部と、該左右側面部の左右方向両側に延設された左右上面部とを有し、前記底面部、左右側面部、および、左右上面部が、前記箱体の底板、側板、および、天板を構成しており、前記左右側面部は、前記底面部の左右長辺の前後両側と中央部に形成された左右前後側面部と左右中央側面部とからなり、前記左右前側面部と左右中央側面部間および左右中央部側面部と左右後側面部間に左右侵入部が設けられ、前記左右侵入部は、前記底面に対して所定角度の傾斜を有するように折り曲げられて前記第一侵入口が形成されており、前記平板は、ダンボール製である点にある。
【００１０】
前記天板は、前記左右上面部が入り組み状に結合されて左右方向開閉自在とされているのが好ましい。
【００１１】
前記箱体内部の底面に粘着層が露出状態で設けられているのが好ましい。
【００１３】
前記左右侵入部の上縁部に切欠き凹部が形成され、該凹部が前記第二侵入口を形成しているのが好ましい。
【００１４】
前記平板は、前記底面部の短辺の前後方向両側に延設された前後侵入部を有し、該前後侵入部の上縁部に切欠き凹部が形成され、前記前後侵入部は前記底面に対して所定角度の傾斜を有するように折り曲げられ、前記前後侵入部の切欠き凹部によりゴキブリの第三侵入口が形成されているのが好ましい。
【発明の効果】
【００１５】
本発明によれば、矩形状の底板と該底板に平行な天板と、前記底板の左右両端縁より立ち上がり前記天板に連なる左右の側板とを有する扁平箱体であるので、エンドユーザーにおいて、組み立て不要である。また、扁平箱体の状態で商品流通過程に供でき、搬送時の荷姿がコンパクトになる。
【００１６】
また、箱体の側板には、ゴキブリが前記底板の側縁に沿って進行してきたときの正面側に開口する第一侵入口と、ゴキブリが前記底板の側縁に直交する方向から進行してきたときの正面側に開口する第二侵入口とが形成されているので、従来のものに比べ捕獲性能の向上が図れる。
【発明を実施するための最良の形態】
【００１７】
以下、本発明の実施の形態を図面に基づき説明する。
図１、２において、本発明に係るゴキブリ捕獲器は、矩形状の底板１と、該底板１に平行な天板２と、前記底板１の左右両端縁より立ち上がり前記天板２に連なる左右の側板３とを有する扁平箱体４に形成されている。
【００１８】
この箱体４の側板３に、ゴキブリが前記底板１の側縁に沿って進行してきたときの正面側に開口する第一侵入口５と、ゴキブリが前記底板１の側縁に直交する方向から進行してきたときの正面側に開口する第二侵入口６とが形成されている。
【００１９】
なお、前記箱体４は、本実施の形態では、１５０ｍｍ×７０ｍｍ×１３ｍｍ程度の大きさとされており、平板を折り曲げて組み立てたものであるが、本発明は、これに限定されるものではない。またこの実施の形態では、前記側板３は底板１に対して直角に立ち上がっている直方体を示しているが、本発明は、底板１に対して所定角度で傾斜した台形状のものであっても良い。
【００２０】
図３に示すものは、前記箱体を形成するための平板７の平面展開図である。
前記平板７は、ダンボールを打ち抜き成形したものである。前記打ち抜き成形された平板７は、左右両側の長辺と前後の短辺とを有する矩形状の底面部８を有する。短辺の長さはＬとされている。この底面部８の左右長辺の左右方向両側に左右の側面部９が延設されている。この左右側面部９の左右方向両側に左右の上面部１０が延設されている。
【００２１】
なお、本発明で言う左右方向、前後方向は、図３に示す方向をいう。
前記底面部８、左右側面部９、および、左右上面部１０が、前記箱体４の底板１、側板３、および、天板２を構成している。
【００２２】
前記左右側面部９は、前記底面部８の左右長辺の前側に形成された左右前側面部９ａと、中央部に形成された左右中央側面部９ｂと、後側に形成された左右後側面部９ｃとからなる。
【００２３】
左右側面部９は、前記底面部８と第一折り目線１１を介して接しており、また、左右側面部９は、前記上面部１０と第二折り目線１２を介して接している。
【００２４】
前記左右前側面部９ａと左右中央側面部９ｂ間および左右中央部側面部９ｂと左右後側面部９ｃ間に左右侵入部１３が設けられている。
【００２５】
前記左右侵入部１３と前記底面部８とはミシン目状スリット１４を介して接している。このミシン目状スリット１４は、前記第一折り目線１１と同一線上に設けられている。左右侵入部１３と前記側面部９との境界は直線状スリット１５を介して分離されている。また、左右侵入部１３と上面部１０との境界も直線状スリット１６を介して分離されている。
【００２６】
前記左右侵入部１３の左右方向長さは、側面部９の左右方向長さＨよりも長くされている。
【００２７】
そして、前記左右侵入部１３の上縁部(上面部側）に、切欠き凹部１７が形成されている。
【００２８】
打ち抜き成形された平板７は、前記底面部８の短辺の前後方向両側に延設された前後侵入部１８を有する。この前後侵入部１８と底面部８との境界に、折り目線１９と直線状スリット２０が一直線上に設けられている。前記折り目線１９は、前後侵入部１８の左右方向両端に形成され、該折り目線１９，１９間に前記スリット２０が形成されている。
【００２９】
この前後侵入部１８の上縁部(反底面部側）に、切欠き凹部２１が形成されている。
前記左上面部１０ａの外縁の前後方向中央部は、凸部２２に形成され、該凸部２２の前後方向両側にヌスミ部２３が形成されている。このヌスミ部２３と左右側面部９との距離はＬ１とされている。
【００３０】
前記右上面部１０ｂの外縁の前後方向中央部は凹部２４に形成され、該凹部２４の前後方向両側にヌスミ部２５が形成されている。このヌスミ部２５と左右側面部９の第二折れ目線１２までの距離はＬ２とされている。
【００３１】
前記距離Ｌ、Ｌ１およびＬ２の関係は、「Ｌ＝Ｌ１＋Ｌ２」とされている。
図４に示すように、前記平板７は、折り目線１１，１２，１９およびスリット１４，２０を介して折り曲げ成形されて、図１，２に示す扁平箱体４に組み立てられる。
【００３２】
その際、前記左右侵入部１３は、底面部８(底板１）に対して所定角度(この実施の形態では４５度）の傾斜を有するように折り曲げられて前記第一侵入口５が形成されている。折り曲げたとき左右侵入部１３の上縁は天板２に当接している。前記第一侵入口５は、天板２と側板３と侵入部１３との間で形成され、三角形状を呈する。ゴキブリが箱体４の底板１の側縁に沿って進んできたとき、その正面側に第一侵入口５が開口することになるので、ゴキブリは第一侵入口５から箱体４内部に侵入する。
【００３３】
そして、前記切欠き凹部１７が前記第二侵入口６を形成する。
前記前後侵入部１８底板１に対して所定角度(この実施の形態では４５度）の傾斜を有するように折り曲げられる。そして、前後侵入部１８の上縁部に形成された前記切欠き凹部２１によりゴキブリの第三侵入口２６(図１参照）が形成されている。
【００３４】
前記第二侵入口６および第三侵入口２６の上下方向隙間は、５ｍｍ〜７ｍｍ程度が最適である。
【００３５】
前記天板２は、左右上面部１０ａ、１０ｂの凹部２４と凸部２２が入り組み状に結合されて左右方向開閉自在とされている。この際、「Ｌ＝Ｌ１＋Ｌ２」とされているので、箱体４は直方体に組み立てられる。
【００３６】
図５は、前記左右上面部１０ａ、１０ｂの入り組み結合状態を示す断面図であり、左右上面部１０ａ、１０ｂは互いに上下方向に圧接し、強固な結合状態にある。
【００３７】
天板２を開閉自在とすることにより、ゴキブリの捕獲を容易に確認できる。捕獲量が少なければ、再使用できる。
【００３８】
この天板２の表面には、捕獲データを記録する記録欄が印刷されている。場所と日付と捕獲量を記録することにより、捕獲データの収集が容易になる。
【００３９】
図６は、図３におけるＶＩ−ＶＩ線断面図であり、平板４の素材であるダンボールの断面を示す。ダンボールは、表紙２７と裏紙２８の間に波形の中芯２９をサンドイッチ状にしたものである。このダンボールは、側面部９において、中芯２９の波形が図６の方向を向くように使用されている。中芯２９を図６に示す方向で使用することにより、側板３の上下方向からの力による腰折れが防止される。
【００４０】
図７および８は、図２におけるＶＩＩ−ＶＩＩ線およびＶＩＩＩ−ＶＩＩＩ線断面図であり、第一侵入口５および第二侵入口６の詳細を示している。
【００４１】
図９は、図２におけるＩＸ−ＩＸ線断面図であり、第三侵入口２６の詳細を示している。
【００４２】
なお、箱体４内部の底面に粘着層が露出状態で設けられ、剥離紙は貼着されていない。
また、箱体４は、ダンボール製であるので、それ自体がゴキブリの誘引剤となっているので、別途、誘引剤を不要とする。
【００４３】
すなわち、ゴキブリは保温性を好み、でんぷん等の関係から餌にも転化できる部材であるダンボールとすることは合目的的である。
【００４４】
図１０に示すものは、上記構成のゴキブリ捕獲器を壁際に立てた状態で使用しているものである。
【００４５】
通常は、底板１を床に載置して使用するのであるが、図１０に示すように底板１を壁３０に密着させ、側板３を床に載置して使用することもできる。この場合、侵入口３１の床面からの高さｈは５ｍｍ程度とされている。
【００４６】
上記構成の本発明の実施の形態によれば、箱体４の状態で流通過程に乗るので、エンドユーザにおいて組み立てる手間が不要となる。ダンボール製であるので、誘引剤が不要である。またダンボール製であるので、側板３の強度を強くすることができ、変形が防止される。侵入口の隙間を５〜７ｍｍとしているので、捕獲性がよい。第一侵入口５を設けているので、箱体４の側面に沿って移動するゴキブリを捕獲しやすい。剥離紙を不要としているので、ごみの排出が防止される。
【００４７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【産業上の利用可能性】
【００４８】
本発明は、ゴキブリ等の害虫駆除の環境衛生産業に利用可能である。
【図面の簡単な説明】
【００４９】
【図１】本発明の実施の形態におけるゴキブリ捕獲器の斜視図である。
【図２】図１に示すゴキブリ捕獲器の平面図である。
【図３】図１に示すゴキブリ捕獲器を製造するための打ち抜き成形された平板の平面図である。
【図４】図３に示す平板を図１に示すゴキブリ捕獲器に折り曲げ組み立てる途中の斜視図である。
【図５】図２のＶ−Ｖ線断面図である。
【図６】図３のＶＩ−ＶＩ線断面図である。
【図７】図２のＶＩＩ−ＶＩＩ線断面図である。
【図８】図２のＶＩＩＩ−ＶＩＩＩ線断面図である。
【図９】図２のＩＸ−ＩＸ線断面図である。
【図１０】本発明のゴキブリ捕獲器を壁際において使用する断面図である。
【符号の説明】
【００５０】
１  底板、２  天板、３  側板、４  箱体、５  第一侵入口、６  第二侵入口、７  平板、８  底面部、９  左右側面部、１０  左右上面部、１３  左右侵入部、１７  切欠き凹部、１８  前後侵入部、２１  切欠き凹部、２６  第三侵入口。
【図１】
0004397362.tif 000002
【図２】
0004397362.tif 000003
【図３】
0004397362.tif 000004
【図４】
0004397362.tif 000005
【図５】
0004397362.tif 000006
【図６】
0004397362.tif 000007
【図７】
0004397362.tif 000008
【図８】
0004397362.tif 000009
【図９】
0004397362.tif 000010
【図１０】
0004397362.tif 000011